(57)【要約】ブレーキパッド10は、回転するディスク200を制動することができ、ディスク200側に設けられた摩擦材12と、摩擦材12のディスク200と反対側に接合された裏板11とを備えている。裏板11は、摩擦材12側の面に、複数の凸条111および／または複数の溝112を有している。複数の凸条111および／または複数の溝112は、裏板11の摩擦材12側の面の全体にわたって形成され、それらの長手方向がディスク200の回転方向に対して一方向に揃って所定角度傾斜していることを特徴とする。また、前記摩擦材12は、各凸条111および／または各溝112を規定する表面と、裏板11の摩擦材12側の面とに密着するように、裏板11に接合されていることを特徴とする。凸条111の平均高さ、または、溝112の平均深さは、2〜6mmであることが好ましい。これにより摩擦材12と裏板11との接合強度が高く、耐久性に優れたブレーキパッド10、およびブレーキパッド10を備えたキャリパ装置を提供することができる。
2014119572.tif 000002
【特許請求の範囲】
【請求項１】
回転するディスクを制動するブレーキパッドであって、
前記ディスク側に設けられた摩擦材と、前記摩擦材の前記ディスクと反対側に接合された裏板とを備え、
前記裏板は、前記摩擦材側の面に、複数の凸条および／または複数の溝を有し、
前記複数の凸条および／または複数の溝は、前記裏板の前記摩擦材側の面の全体にわたって形成され、それらの長手方向が前記ディスクの回転方向に対して一方向に揃って所定角度傾斜し、
前記摩擦材は、各前記凸条および／または各前記溝を規定する表面と、前記裏板の前記摩擦材側の面とに密着するように、前記裏板に接合されていることを特徴とするブレーキパッド。
【請求項２】
前記所定角度は、１５°〜７５°である請求項１に記載のブレーキパッド。
【請求項３】
前記凸条の平均高さ、または、前記溝の平均深さは、２ｍｍ〜６ｍｍである請求項１または２に記載のブレーキパッド。
【請求項４】
隣り合う前記凸条同士の間隔の平均値、または、隣り合う前記溝同士の間隔の平均値は、５ｍｍ〜２０ｍｍである請求項１ないし３のいずれか１項に記載のブレーキパッド。
【請求項５】
前記裏板は、樹脂と、複数本の繊維とを含む裏板用組成物で構成されている請求項１ないし４のいずれか１項に記載のブレーキパッド。
【請求項６】
前記繊維は、ガラス繊維である請求項５に記載のブレーキパッド。
【請求項７】
前記樹脂は、フェノール樹脂、エポキシ樹脂、ビスマレイミド樹脂、ベンゾオキサジン樹脂、不飽和ポリエステル樹脂よりなる群から選択される少なくとも１種を含む請求項６に記載のブレーキパッド。
【請求項８】
請求項１ないし７のいずれか１項に記載の前記ブレーキパッドと、ディスクに向けて前記ブレーキパッドを押圧するピストンと、前記ピストンを移動可能に収納するキャリパとを備えることを特徴とするキャリパ装置。
【発明の詳細な説明】
【技術分野】
【０００１】
本発明は、ブレーキパッドおよびキャリパ装置に関する。
【背景技術】
【０００２】
ディスクブレーキ用のブレーキパッドは、一般に、ディスクを制動するためのライニング（摩擦材）と、それを支持するバックプレート（裏板）とで構成されている。このバックプレートは、ライニングを支持するために、耐熱性、耐ブレーキ性、および高温雰囲気中における高い機械的強度を有することが要求される。このため、従来、バックプレートには、セラミック製のプレートや金属製のプレートが用いられてきた。しかし、セラミック製のプレートや金属製のプレートは、重量が大きい点、加工に時間がかかる点、コストが高い点等において問題がある。【０００３】
そこで、最近では、軽量化や低コスト化を目的として、バックプレートに、金属製のプレートの代替品として、繊維を混合した合成樹脂を用いて形成されたプレートを用いることが検討されている。【０００４】
このようなバックプレートに関する技術として、特許文献１には、炭素繊維強化プラスチックプレートを用いたバックプレートが開示されている。【０００５】
しかしながら、従来のブレーキパッドでは、ライニングとバックプレートとの間の接合強度が低く、十分な耐久性を確保することが困難である。
【先行技術文献】
【特許文献】
【０００６】
【特許文献１】特開２０１０−４８３８７号公報
【発明の概要】
【発明が解決しようとする課題】
【０００７】
本発明は、摩擦材と裏板との接合強度が高く、耐久性に優れたブレーキパッド、および当該ブレーキパッドを備えたキャリパ装置を提供することにある。
【課題を解決するための手段】
【０００８】
このような目的は、下記（１）〜（８）に記載の本発明により達成される。
（１）  回転するディスクを制動するブレーキパッドであって、
前記ディスク側に設けられた摩擦材と、前記摩擦材の前記ディスクと反対側に接合された裏板とを備え、
前記裏板は、前記摩擦材側との面に、複数の凸条および／または複数の溝を有し、
前記複数の凸条および／または複数の溝は、前記裏板の前記摩擦材側の面の全体にわたって形成され、それらの長手方向が前記ディスクの回転方向に対して一方向に揃って所定角度傾斜し、
前記摩擦材は、各前記凸条および／または各前記溝を規定する表面と、前記裏板の前記摩擦材側の面とに密着するように、前記裏板に接合されていることを特徴とするブレーキパッド。【０００９】
（２）  前記所定角度は、１５°〜７５°である上記（１）に記載のブレーキパッド。
（３）  前記凸条の平均高さ、または、前記溝の平均深さは、２ｍｍ〜６ｍｍである上記（１）または（２）に記載のブレーキパッド。【００１０】
（４）  隣り合う前記凸条同士の間隔の平均値、または、隣り合う前記溝同士の間隔の平均値は、５ｍｍ〜２０ｍｍである上記（１）ないし（３）のいずれかに記載のブレーキパッド。【００１１】
（５）  前記裏板は、樹脂と、複数本の繊維とを含む裏板用組成物で構成されている上記（１）ないし（４）のいずれかに記載のブレーキパッド。【００１２】
（６）  前記繊維は、ガラス繊維である上記（５）に記載のブレーキパッド。【００１３】
（７）  前記樹脂は、フェノール樹脂、エポキシ樹脂、ビスマレイミド樹脂、ベンゾオキサジン樹脂、不飽和ポリエステル樹脂よりなる群から選択される少なくとも１種を含む上記（６）に記載のブレーキパッド。【００１４】
（８）  上記（１）ないし（７）のいずれかに記載の前記ブレーキパッドと、ディスクに向けて前記ブレーキパッドを押圧するピストンと、前記ピストンを移動可能に収納するキャリパとを備えることを特徴とするキャリパ装置。
【発明の効果】
【００１５】
本発明によれば、摩擦材と裏板との接合強度が高く、耐久性に優れたブレーキパッド、および当該ブレーキパッドを備えたキャリパ装置を提供することができる。
【図面の簡単な説明】
【００１６】
【図１】図１は、キャリパ装置の一例を示す断面図である。
【図２】図２は、キャリパ装置の一例を示す断面図である。
【図３】図３は、本発明のブレーキパッドの第１実施形態を示す平面図である。
【図４】図４は、本発明のブレーキパッドの第１実施形態を示す部分平面図である。
【図５】図５は、本発明のブレーキパッドの第１実施形態を示す断面図である。
【図６】図６は、本発明のブレーキパッドをディスクに配置した状態を示すための図である。
【図７】図７は、本発明のブレーキパッドの他の一例を示す部分平面図である。
【図８】図８は、本発明のブレーキパッドの第２実施形態を示す断面図である。
【図９】図９は、本発明のブレーキパッドの第３実施形態を示す断面図である。
【図１０】図１０は、本発明のブレーキパッドの第４実施形態を示す断面図である。
【図１１】図１１は、本発明のブレーキパッドの第５実施形態を示す断面図である。
【図１２】図１２は、本発明のブレーキパッドの第６実施形態を示す断面図である。
【図１３】図１３は、本発明のブレーキパッドの第７実施形態を示す断面図である。
【図１４】図１４は、本発明のブレーキパッドの第８実施形態を示す断面図である。
【発明を実施するための形態】
【００１７】
以下、本発明のブレーキパッドおよびキャリパ装置を添付図面に示す好適実施形態に基づいて詳細に説明する。
【００１８】
まず、本発明のキャリパ装置について詳細に説明する。
［キャリパ装置］
図１および図２は、それぞれ、本発明のキャリパ装置の一例を示す断面図である。図１および図２は、それぞれ、キャリパ装置をディスクに配置した状態を示す図である。これらのうち、図１は、ディスクの制動が解除されている状態を示すための図であり、図２は、キャリパ装置により、ディスクが制動されている状態を示すための図である。
【００１９】
なお、以下の説明では、図１中の上側を「上」、下側を「下」と言う。
図１および図２に示すキャリパ装置１００は、回転（回動）するディスク２００を制動するために用いられる。ディスク２００は、図１および図２に示すように、回転軸２１０を回転の中心軸として、矢印Ａの方向に回転する。
【００２０】
キャリパ装置１００は、ディスク２００の近傍に設置される。このキャリパ装置１００は、キャリパ５０と、ピストン３０と、ブレーキパッド１０とを有している。
【００２１】
キャリパ５０は、ピストン３０を収納するケーシングに相当し、図１および図２に示すように、下側に開放する空間４０と、空間４０に連通する流路５１とを有している。空間４０は、円柱状をなしており、この空間４０には、ピストン３０が収納されている。
【００２２】
空間４０を規定するキャリパ５０の内周面には、環状の溝５５が設けられている。この溝５５内には、弾性材料で構成されたリング状のシール部材６０が設置されている。また、シール部材６０は、ピストン３０の外周面に、当該ピストン３０が摺動可能なように圧接されている。
【００２３】
なお、本実施形態では、空間４０内にシール部材６０が１つ設置されているが、シール部材の数は、これに限定されない。例えば、空間４０内には、図１中の上下方向に、２つ以上のシール部材が並設されていてもよい。なお、シール部材の数は、キャリパ装置１００の用途や、要求される性能等に応じて、適宜設定すればよい。
【００２４】
また、このようなシール部材６０によるシール構造も、図示の構造に限定されないことは言うまでもない。
【００２５】
ピストン３０は、ブレーキパッド１０をディスク２００に向けて押圧する機能を有している。
【００２６】
前述したように、空間４０内には、ピストン３０が収納されており、ピストン３０の外周面には、シール部材６０が圧接されている。このため、空間４０は、シール部材６０によって液密的に封止されている。
【００２７】
空間４０内は、ブレーキ液で満たされている。キャリパ装置１００は、図示しない液圧装置によって、ブレーキ液を、流路５１を介して空間４０内に供給したり、空間４０の外に流出したりすることができる。シール部材６０を設けることにより、ブレーキ液の空間４０の外部への漏れ出しや、空間４０への異物の進入を防止することができる。
【００２８】
ブレーキパッド１０は、制動時にディスク２００に圧接され、ディスク２００との間に生じる摩擦力によって、ディスク２００の回転を制御する（回転速度を低下させる）機能を有している。
【００２９】
ブレーキパッド１０は、ピストン３０とディスク２００との間に設置されている。ブレーキパッド１０は、裏板１１と摩擦材１２とを接合した接合体で構成されている。裏板１１は、ピストン３０側に位置し、摩擦材１２は、ディスク２００側に位置している。裏板１１の上面は、ピストン３０の下面に当接している。なお、両者は、接合されていても、接合されていなくてもよい。また、摩擦材１２の下面は、ディスク２００の上面と対面している。
【００３０】
本発明のキャリパ装置は、対向型の装置、浮動型の装置のいずれにも適用することができる。
対向型のキャリパ装置の場合には、図示しないが、ディスク２００の中心線２２０を介して、前述した空間４０、ピストン３０およびブレーキパッド１０を備える制御機構と同様の構成の制御機構が、ディスクの下側に対向配置（鏡像関係の配置で）されている。すなわち、対向型のキャリパ装置の場合には、ディスク２００を介して、空間、ピストンおよびブレーキパッドを備える一対の制御機構が設けられる。かかる構成の対向型のキャリパ装置では、一対のブレーキパッドの双方が、キャリパ５０に対して可動し、ディスク２００を挟んで、ディスク２００の回転を制動する。また、このような制御機構の組数（対の数）は、１組に限らず、例えば、２組、３組等、複数組であってもよい。
【００３１】
一方、浮動型のキャリパ装置の場合には、図示しないが、ディスク２００の中心線２２０を介して、前述したブレーキパッド１０と同様の構成のブレーキパッドが、ディスク２００の下側に配置され、この位置でキャリパ５０に固定されている。すなわち、ディスクを介して、キャリパ５０に対して可動するブレーキパッド１０と、キャリパ５０に固定されたブレーキパッドとの一対のブレーキパッドが設けられている。また、ブレーキパッドの組数（対の数）は、１組に限らず、例えば、２組、３組等、複数組であってもよい。
【００３２】
次にキャリパ装置１００の作動について説明する。
キャリパ装置１００は、非制動時（初期状態）では、摩擦材１２の下面が、ディスク２００の上面と若干の隙間を隔てて離間している。
【００３３】
この状態から、回転しているディスク２００を制動するには、前記液圧装置によって、流路５１を介して空間４０内へブレーキ液を供給する。これにより、空間４０内のブレーキ液の液圧が上昇し、ピストン３０がディスク２００側へ移動する。そして、移動するピストン３０に伴って、ブレーキパッド１０も図１中の下方向に移動し、その摩擦材１２は、図２に示すように、ディスク２００に圧接される。その結果、ブレーキパッド１０の摩擦材１２とディスク２００との間で発生する摩擦力によって、ディスク２００の回転が抑制される。
【００３４】
なお、空間４０内のブレーキ液の液圧の上昇により、ピストン３０がディスク側に移動した状態では、シール部材６０のピストン３０に圧接されている部分がディスク２００側へ引っ張られており、シール部材６０が弾性変形している。
【００３５】
一方、ディスク２００の制動を解除するには、前記液圧装置による空間４０内へのブレーキ液の供給を停止するか、ブレーキ液を空間４０から流路５１を介して前記液圧装置へ抜き取る。これにより、流路５１を介して空間４０内のブレーキ液の一部が空間４０外へ流出し、ブレーキ液のピストン３０に対する圧力（液圧）が低下する。このため、ピストン３０をディスク２００側へ押圧する力が減少し、シール部材６０は、その復元力により、非制動時の状態に復元しようとする。これにより、ピストン３０が、ディスク２００から離間する方向（上方）へ移動する。そして、摩擦材１２の下面がディスク２００の上面から離間するか、または、摩擦材１２の下面のディスク２００の上面への圧接力が減少する。その結果、ディスク２００の制動が解除される。
【００３６】
本発明のキャリパ装置が対向型の場合には、ディスク２００の中心線２２０を介して、対向配置される、ピストンおよびブレーキパッドのそれぞれが、制動時、制動解除時共に、前述した作動と同様の作動をする。対向型のキャリパ装置の場合には、制動時に少なくとも１対のブレーキパッドでディスク２００をその両面側から挟むので、より大きな制動力が得られる。
【００３７】
また、浮動型の場合には、キャリパ５０に対して可動するブレーキパッド１０と、キャリパ５０に固定されたブレーキパッドとでディスク２００を挟んで制動する。すなわち、可動するブレーキパッド１０が、ディスク２００に押圧されると、キャリパ５０はその反力により、ディスク２００から離間する方向（上方）に移動する。このキャリパ５０の上方への移動により、ブレーキパッド１０に対向配置され、かつ、キャリパ５０に固定されたブレーキパッド（図示せず）が上方、すなわち、ディスク２００に接近する方向に移動し、ディスク２００に押圧される。その結果、可動するブレーキパッド１０と、固定されたブレーキパッドとで、ディスク２００を挟み、制動する。
【００３８】
本発明のキャリパ装置の用途は、特に限定されず、例えば、航空機、自動車（車両）、オートバイ、自転車、鉄道車両、エレベーター、ロボット、建設機械、農業機械、その他産業機械等に用いることができる。
【００３９】
［ブレーキパッドの第１実施形態］
次に、本発明のキャリパ装置が備えるブレーキパッドの第１実施形態について説明する。
【００４０】
図３は、本発明のブレーキパッドの第１実施形態を示す平面図、図４は、本発明のブレーキパッドの第１実施形態を示す部分平面図、図５は、本発明のブレーキパッドの第１実施形態を示す断面図、図６は、本発明のブレーキパッドをディスクに配置した状態を示すための図である。
【００４１】
本発明のブレーキパッドは、制動時にディスクに圧接され、ディスクとの間で発生する摩擦力によって、ディスクの回転を制御することができる。
ブレーキパッド１０は、前述したように、裏板１１と摩擦材１２とが接合した接合体で構成されている。
【００４２】
本実施形態において、図４および図５に示すように、裏板１１の摩擦材１２側の面（上面）には、当該面の全体にわたって複数の凸条１１１が形成されている。そして、複数の凸条１１１は、それらの長手方向がディスク２００の回転方向に対して一方向に揃って所定角度傾斜している。このような裏板１１に、各凸条１１１を規定する表面と、裏板１１の摩擦材側の面（基準面Ｓ）とに密着するように、摩擦材１２が接合されている。これにより、裏板１１と摩擦材１２との界面は、ブレーキパッド１０の縦断面において凹凸状をなしている。なお、本明細書において、ディスク２００の回転方向とは、ブレーキパッド１０がキャリパ１００のピストン３０に取り付けられた位置におけるディスク２００の回転方向を意味する。
【００４３】
裏板１１がこのような形状の複数の凸条１１１を有することにより、裏板１１と摩擦材１２との間の接触面積を増大させることができるため、それらの間の接合強度が向上し、優れた耐久性を備えるブレーキパッド１０を得ることができる。また、すべての凸条１１１の長手方向がディスク２００の回転方向に対して一方向に揃って所定角度傾斜していることにより、ブレーキをかけた際（キャリパ装置１００を作動させた際）に、ディスク２００の回転方向におけるブレーキパッド１０の振動を複数の凸条１１１で効果的に吸収することができる。その結果、ブレーキパッド１０が振動するのを防止することができ、ブレーキをかけた際のブレーキパッド１０の鳴きを防止することができる。
【００４４】
本実施形態では、図４に示すように、各凸条１１１は、その一端（図中左端）がディスク２００の外周側に位置し、他端（図中右端）がディスク２００の回転軸２１０側に位置するように、傾斜している。  
【００４５】
凸条１１１の長手方向の、ディスク２００の回転方向に対する傾斜角度（所定角度）は、１５°〜７５°であるのが好ましく、３０°〜６０°であるのがより好ましい。これにより、ブレーキをかけた際に、ディスク２００の回転方向におけるブレーキパッド１０の振動を複数の凸条１１１でより効果的に吸収することができる。
【００４６】
なお、凸条１１１の長手方向の、ディスク２００の回転方向に対する傾斜角度、すなわち、所定角度は、凸条１１１の長手方向とディスク２００の回転方向とで形成される２つの角度のうちの鋭角をなすほうの角度のことを言う。また、本発明において、凸条１１１が一方向に揃って所定角度傾斜しているとは、各凸条１１１の傾斜角度が互いに等しいことを言う。
【００４７】
本実施形態において、図５に示すように、凸条１１１の頂部を規定する面（天面）が平坦面で構成されている。また、凸条１１１の側部を規定する２つの面（側面）が略平行となっている。言い換えると、凸条１１１は、その横断面が略四角形状をなしている。
【００４８】
なお、本明細書において、凸条とは、裏板１１の基準面Ｓから摩擦材１２側に突出しているものをいう。
【００４９】
図中、Ｈで表される凸条１１１の平均高さは、２ｍｍ〜６ｍｍであるのが好ましく、３ｍｍ〜５ｍｍであるのがより好ましい。これにより、より効果的にブレーキパッド１０の鳴きを防止することができる。また、ブレーキパッド１０の耐久性をさらに向上することができる。
【００５０】
図中、Ｌで表される隣り合う凸条１１１同士の間隔の平均値（平均間隔）は、５ｍｍ〜２０ｍｍであるのが好ましく、７ｍｍ〜１５ｍｍであるのがより好ましい。これにより、より効率よく裏板１１と摩擦材１２との間の接合強度を向上させることができる。また、より効果的にブレーキパッド１０の鳴きを防止することができる。
【００５１】
なお、ブレーキパッド１０では、裏板１１と摩擦材１２とが、接着または融着（溶着）により接合されていてもよく、裏板１１と摩擦材１２とが、一体化されることにより接合されていてもよい。
【００５２】
また、本発明において、複数の凸条１１１は、それらの長手方向がディスク２００の回転方向に対して一方向に揃って所定角度傾斜していればよく、裏板１１を平面視した際の凸条１１１の形状（以下、「平面形状」と言うこともある。）は、湾曲形状（非直線形状）であってもよいし、直線上であってもよいし、波状であってもよい。
【００５３】
また、本実施形態では、ブレーキパッド１０（摩擦材１２および裏板１１）の平面形状は、図３に示すように、略四角形状をなしている。そして、摩擦材１２は、平面視で、裏板１１よりも小さいサイズであり、平面視で、裏板１１に包含されるように位置している。
【００５４】
なお、本実施形態では、摩擦材１２および裏板１１の平面形状は、それぞれ、略四角形状をなしているが、これに限定されない。摩擦材１２および裏板１１の平面形状は、例えば、略円形状、多角形状等をなしていてもよい。また、これらの平面形状は、それぞれ、異なる形状をなしていてもよい。なお、これらの平面形状は、ブレーキパッド１０の用途に合わせて適宜設定すればよい。
【００５５】
また、本実施形態では、凸条１１１は、図４に示すように、凸条１１１は、その一端（図中左端）がディスク２００の外周側に位置し、他端（図中右端）がディスク２００の回転軸２１０側に位置するように傾斜しているが、図７に示すように、その一端（図中左端）がディスク２００の回転軸２１０側に位置し、他端（図中右端）がディスク２００の外周側に位置するように、傾斜していてもよい。
【００５６】
以下、ブレーキパッド１０を構成する摩擦材１２、裏板１１を構成する材料について詳細に説明する。
【００５７】
＜摩擦材１２＞
摩擦材１２は、制動時にディスク２００と当接し、この当接による摩擦によって、ディスク２００の回転を抑制する機能を有している。
【００５８】
摩擦材１２は、制動時にディスク２００と当接し、ディスク２００との間に生じる摩擦によって、摩擦熱を発生する。そのため、摩擦材１２の構成材料は、制動時の摩擦熱に対応できるように、耐熱性に優れることが好ましい。その具体的な構成材料としては、特に限定されないが、例えば、ロックウール、ケブラー繊維、銅繊維のような繊維材と、樹脂のような結合材と、硫酸バリウム、ケイ酸ジルコニウム、カシューダスト、グラファイトのような充填剤とを含む混合物が挙げられる。
【００５９】
また、摩擦材１２の平均厚みは、特に限定されないが、３ｍｍ〜１５ｍｍであるのが好ましく、５ｍｍ〜１２ｍｍであるのがより好ましい。摩擦材１２の平均厚みが、前記下限値未満の場合、摩擦材１２を構成する材料等によっては、その機械的強度が低下することにより、破損が生じやすく、寿命が短くなる場合がある。また、摩擦材１２の平均厚みが、前記上限値を超えた場合、摩擦材１２を備えるキャリパ装置１００全体が若干大型化してしまう場合がある。
【００６０】
＜裏板１１＞
裏板１１は、硬質かつ高い機械的強度を有する。このため、裏板１１は、変形しにくく、摩擦材１２を確実に支持することができるとともに、制動時にピストンの押圧力を、均一に摩擦材１２に伝達することができる。また、裏板１１は、制動時に、摩擦材１２がディスク２００に摺接することで生じる摩擦熱や振動をピストンに伝え難くすることができる。
【００６１】
裏板１１は、樹脂と、複数本の繊維とを含む裏板用組成物で構成されているのが好ましく、特に、樹脂と、複数本の第１の繊維と、複数本の第２の繊維とを含む裏板用組成物で構成されているのがより好ましい。
【００６２】
以下、裏板１１を構成する裏板用組成物について詳細に説明する。
＜＜裏板用組成物＞＞
以下、裏板用組成物を構成する各材料について詳細に説明する。
【００６３】
（i）樹脂
本実施形態において、裏板用組成物は、樹脂を含む。
【００６４】
なお、本実施形態では、樹脂は、室温で、固体状、液体状、半固体状等のいかなる形態であってもよい。
【００６５】
樹脂としては、熱硬化性樹脂、光硬化性樹脂、反応硬化性樹脂、および、嫌気硬化性樹脂等の硬化性樹脂が挙げられる。これらの中でも、特に、硬化後の線膨張率や弾性率等の機械特性が優れるため、熱硬化性樹脂であることが好ましい。
【００６６】
熱硬化性樹脂としては、例えば、フェノール樹脂、エポキシ樹脂、ビスマレイミド樹脂、ユリア（尿素）樹脂、メラミン樹脂、ポリウレタン樹脂、シアネートエステル樹脂、シリコーン樹脂、オキセタン樹脂、（メタ）アクリレート樹脂、不飽和ポリエステル樹脂、ジアリルフタレート樹脂、ポリイミド樹脂、ベンゾオキサジン樹脂等が挙げられ、これらのうちの１種または２種以上を組み合わせて用いることができる。これらの中でも、熱硬化性樹脂としては、特に、フェノール樹脂、エポキシ樹脂、ビスマレイミド樹脂、ベンゾオキサジン樹脂、不飽和ポリエステル樹脂がより好ましく、フェノール樹脂がより好ましい。これにより、裏板１１は、摩擦材１２が制動時にディスク２００と当接することで生じる摩擦熱に対して、特に優れた耐熱性を発揮することができる。
【００６７】
フェノール樹脂としては、例えば、フェノールノボラック樹脂、クレゾールノボラック樹脂、ビスフェノールＡノボラック樹脂、アリールアルキレン型ノボラック樹脂等のノボラック型フェノール樹脂；未変性のレゾールフェノール樹脂、桐油、アマニ油、クルミ油等で変性した油変性レゾールフェノール樹脂等のレゾール型フェノール樹脂などが挙げられ、これらのうちの１種または２種以上を組み合わせて用いることができる。これらの中でも、フェノール樹脂としては、特に、フェノールノボラック樹脂が好ましい。これにより、裏板１１を低コストかつ高い寸法精度で製造することができるとともに、得られた裏板１１は、特に優れた耐熱性を発揮することができる。
【００６８】
フェノール樹脂の重量平均分子量は、特に限定されないが、１，０００〜１５，０００程度が好ましい。重量平均分子量が前記下限未満であると、樹脂の粘度が低すぎて裏板用組成物を調製するのが困難となる場合があり、前記上限値を超えると、樹脂の溶融粘度が高くなるため、裏板用組成物の成形性が低下する場合がある。フェノール樹脂の重量平均分子量は、例えば、ゲル浸透クロマトグラフィー（ＧＰＣ）で測定し、ポリスチレン換算の重量分子量として規定することができる。
【００６９】
エポキシ樹脂としては、ビスフェノールＡ型エポキシ樹脂、ビスフェノールＦ型エポキシ樹脂、ビスフェノールＡＤ型エポキシ樹脂などのビスフェノール型エポキシ樹脂；フェノールノボラック型エポキシ樹脂、クレゾールノボラック型エポキシ樹脂などのノボラック型エポキシ樹脂；臭素化ビスフェノールＡ型エポキシ樹脂、臭素化フェノールノボラック型エポキシ樹脂などの臭素化型エポキシ樹脂；ビフェニル型エポキシ樹脂；ナフタレン型エポキシ樹脂；トリス（ヒドロキシフェニル）メタン型エポキシ樹脂などが挙げられ、これらのうちの１種または２種以上を組み合わせて用いることができる。これらの中でも、エポキシ樹脂としては、特に、比較的分子量の低いビスフェノールＡ型エポキシ樹脂、フェノールノボラック型エポキシ樹脂、クレゾールノボラック型エポキシ樹脂が好ましい。これにより、裏板用組成物の流動性を高めることができるため、裏板１１の製造時における裏板用組成物の取り扱い性や成形性をさらに良好にすることができる。また、裏板１１の耐熱性をさらに向上させる観点から、エポキシ樹脂としては、フェノールノボラック型エポキシ樹脂、クレゾールノボラック型エポキシ樹脂が好ましく、特にトリス（ヒドロキシフェニル）メタン型エポキシ樹脂が好ましい。
【００７０】
ビスマレイミド樹脂としては、分子鎖の両末端にそれぞれマレイミド基を有する樹脂であれば、特に限定されないが、さらにフェニル基を有する樹脂が好ましい。具体的には、ビスマレイミド樹脂としては、例えば、下記式（１）で表わされる樹脂を用いることができる。ただし、ビスマレイミド樹脂は、その分子鎖の両末端以外の位置結合するマレイミド基を有していてもよい。
【００７１】
【化１】
2014119572.tif 000003
【００７２】
式（１）中、Ｒ１〜Ｒ４は、水素または炭素数１〜４の置換若しくは無置換の炭化水素基であり、Ｒ５は、置換または無置換の有機基である。ここで、有機基とは、異種原子を含んでいてもよい炭化水素基であり、異種原子としては、Ｏ、Ｓ、Ｎ等が挙げられる。Ｒ５は、好ましくはメチレン基、芳香環およびエーテル結合（−Ｏ−）が任意の順序で結合した主鎖を有する炭化水素基であり、より好ましくは主鎖中において任意の順序で結合するメチレン基、芳香環およびエーテル結合の合計数が１５個以下の炭化水素基である。なお、主鎖の途中には、置換基および／または側鎖が結合していても良く、その具体例としては、例えば、炭素数３個以下の炭化水素基、マレイミド基、フェニル基等が挙げられる。
【００７３】
具体的には、ビスマレイミド樹脂としては、例えば、Ｎ，Ｎ’−（４，４’−ジフェニルメタン）ビスマレイミド、ビス（３−エチル−５−メチル−４−マレイミドフェニル）メタン、２，２−ビス［４−（４−マレイミドフェノキシ）フェニル］プロパン、ｍ−フェニレンビスマレイミド、ｐ−フェニレンビスマレイミド、４−メチル−１，３−フェニレンビスマレイミド、Ｎ，Ｎ’−エチレンジマレイミド、Ｎ，Ｎ’−ヘキサメチレンジマレイミド等が挙げられ、これらのうちの１種または２種以上を組み合わせて用いることができる。
【００７４】
裏板用組成物中における樹脂の含有率は、特に限定されないが、２０質量％〜８０質量％であるのが好ましく、３０質量％〜５０質量％であるのがより好ましい。
【００７５】
樹脂の含有率が、前記下限値未満の場合、樹脂の種類によっては、裏板用組成物を構成する他の材料（特に、第１の繊維、第２の繊維）との結着強度が十分に得られない場合がある。また、樹脂の含有率が、前記上限値を超えた場合、後述する第１の繊維および第２の繊維の量が相対的に減少し、第１の繊維および第２の繊維を含むことの効果が十分に発揮されないことがある。
【００７６】
（ii）繊維
本実施形態において、裏板用組成物は、複数本の繊維を含むが、複数本の繊維として、複数本の第１の繊維を含むのが好ましく、複数本の第１の繊維と複数本の第２の繊維とを含むのがさらに好ましい。
【００７７】
すなわち、裏板用組成物は、複数本の繊維の集合物である繊維群を含むのが好ましく、少なくとも複数本の第１の繊維の集合物である第１の繊維群を含むのがより好ましく、第１の繊維群と、複数本の第２の繊維の集合物である第２の繊維群とを含むのがさらに好ましい。
第１の繊維群に属する第１の繊維は、その平均長さが、第２の繊維群に属する第２の繊維の平均長さよりも長い（換言すれば、第２の繊維群に属する第２の繊維は、その平均長さが、第１の繊維群に属する第１の繊維の平均長さより短い）。このように、裏板用組成物は、異なる平均長さの２種の繊維を含むことにより、その成形性（成形のし易さ）が向上し、成形された裏板１１は、機械的強度が高くなる。
【００７８】
以下、かかる第１の繊維と第２の繊維について詳細に説明する。
第１の繊維の平均長さをＬ１［μｍ］とし、第２の繊維の平均長さをＬ２［μｍ］としたとき、Ｌ２／Ｌ１が０．００１〜０．５の関係を満足するのが好ましく、０．０１〜０．４の関係を満足するのがより好ましく、０．０１５〜０．３の関係を満足するのがさらに好ましい。第１の繊維の平均長さＬ１と、第２の繊維の平均長さＬ２との比率Ｌ２／Ｌ１が、前記範囲内であると、裏板用組成物は、その成形性がより向上し、裏板１１は、寸法精度および機械的強度が特に高くなる。
【００７９】
平均長さの異なる２種の繊維を比較すると、第２の繊維よりも繊維の長さが長い第１の繊維は、主に、裏板１１の機械的強度の確保、および、裏板１１の形状安定性に寄与する。
【００８０】
一方、繊維の長さが短い第２の繊維は、裏板１１の形状安定性にも寄与するが、主に、比較的繊維の長さが長い第１の繊維同士の間を埋める（補間する）役割を担う。すなわち、第２の繊維は、第１の繊維の隙間に入り込むことにより、第１の繊維が存在しない部分における裏板１１の機械的強度を増大、すなわち、第１の繊維による効果を補強する作用（補強作用）を発揮する。詳述すると、第１の繊維は、その長さがゆえに、裏板１１の面方向に沿って配向する傾向が高い。これに対して、第２の繊維は、第１の繊維に入り込むが、第２の繊維は、裏板１１の面方向に沿って配向するとともに、裏板１１の面方向とは異なる方向に沿っても配向する傾向を示す。このように、第１の繊維と第２の繊維との配向状態が異なることにより、第１の繊維、第２の繊維共に、少ない量で十分な機械的強度および形状安定性を裏板１１に付与することができる。
【００８１】
以上のような機能は、前記Ｌ２／Ｌ１が前記範囲内であると、特に顕著に発揮される。さらに、第１の繊維および第２の繊維が、同一または同種の材料で構成されている場合には、この傾向は顕著に現れる。
【００８２】
第１の繊維の平均長さＬ１は、５ｍｍ〜５０ｍｍであるのが好ましく、８ｍｍ〜１２ｍｍであるのがより好ましい。第１の繊維の平均長さＬ１が、前記下限値未満の場合、第１の繊維の構成材料やその含有率によっては、裏板１１の形状安定性が十分に得られない場合がある。また、第１の繊維の平均長さＬ１が、前記上限値を超えた場合には、裏板１１の成形時において、裏板用組成物の流動性が十分に得られない場合がある。
【００８３】
また、第２の繊維の平均長さＬ２は、５０μｍ〜１０ｍｍであるのが好ましく、１５０μｍ〜５ｍｍであるのがより好ましく、２００μｍ〜３ｍｍであるのがさらに好ましい。第２の繊維の平均長さＬ２が、前記下限値未満の場合、例えば、第１の繊維の含有率が少ないときに、第１の繊維による効果の補強作用を増大させるために、裏板用組成物中における第２の繊維の含有率を、比較的多くする必要が生じる場合がある。また、第２の繊維の平均長さＬ２が、前記上限値を超えた場合、第１の繊維の含有率が多い場合には、第１の繊維の隙間に、第２の繊維が入り込む割合が低下する。
【００８４】
第１の繊維の平均径Ｄ１は、５μｍ〜２０μｍであるのが好ましく、６μｍ〜１８μｍであるのがより好ましく、７μｍ〜１６μｍであるのがさらに好ましい。第１の繊維の平均径Ｄ１が、前記下限値未満の場合、第１の繊維の構成材料や含有率によっては、裏板１１の成形時に第１の繊維が破損しやすくなる。また、第１の繊維の平均径Ｄ１が、前記上限値を超えた場合、裏板１１内において、第１の繊維を比較的多いところと比較的少ないところで、強度にムラが生じる場合がある。
【００８５】
また、第２の繊維の平均径Ｄ２は、５μｍ〜２０μｍであるのが好ましく、６μｍ〜１８μｍであるのがより好ましく、７μｍ〜１６μｍであるのがさらに好ましい。第２の繊維の平均径Ｄ２が、前記下限値未満の場合、第１の繊維および第２の繊維の構成材料や含有率によっては、裏板１１の成形時に第２の繊維が破損しやすくなる。また、第２の繊維の平均径Ｄ２が、前記上限値を超えた場合、第１の繊維の含有率によっては、第２の繊維は、第１の繊維の隙間に入り込みにくくなる。
【００８６】
第１の繊維の断面形状は、特に限定されないが、円形および楕円形等の略円形等、三角形、四角形および六角形等の多角形、扁平形、星形等の異形等のいかなる形状であってもよい。これらの中でも、第１の繊維の断面形状は、特に、略円形または扁平形であるのが好ましい。これにより、裏板１１の表面の平滑性を向上することができる。
【００８７】
第２の繊維の断面形状は、特に限定されないが、円形および楕円形等の略円形等、三角形および四角形等の多角形、扁平形、星形等の異形等のいかなる形状であってもよい。これらの中でも、第２の繊維の断面形状は、特に、略円形または扁平形であるのが好ましい。これにより、裏板用組成物の成形時の取扱性がより向上し、その成形性がさらに良好となる。
【００８８】
第１の繊維は、裏板用組成物中において、単体で存在していてもよく、第１の繊維のいくつかが緻密に一体化された繊維束で存在してもよい。第１の繊維が繊維束をなす場合、その繊維束は、撚線状、直線状、網目状等のいかなる状態であってもよい。第２の繊維についても、これと同様である。
【００８９】
第１の繊維および第２の繊維としては、それぞれ、例えば、アラミド繊維、アクリル繊維、ナイロン繊維（脂肪族ポリアミド繊維）およびフェノール繊維等の有機繊維、ガラス繊維、炭素繊維、セラミック繊維、ロックウール、チタン酸カリウム繊維およびバサルト繊維等の無機繊維、ステンレス繊維、スチール繊維、アルミニウム繊維、銅繊維、黄銅繊維および青銅繊維等の金属繊維等が挙げられ、これらのうちの１種または２種以上を組み合わせて用いることができる。これらの中でも、第１の繊維および第２の繊維としては、それぞれ、特に、アラミド繊維、炭素繊維、ガラス繊維であることがより好ましく、第１の繊維および第２の繊維の少なくとも一方が、ガラス繊維であることがさらに好ましい。
【００９０】
ガラス繊維を用いた場合には、単位体積あたりの裏板用組成物の均一性が向上し、裏板用組成物の成形性が特に良好となる。さらに、裏板用組成物の均一性が向上することで、形成された裏板１１における内部応力の均一性が向上し、結果として、裏板１１のうねりが小さくなる。また、高負荷における裏板１１の耐摩耗性をさらに向上させることができる。また、炭素繊維またはアラミド繊維を用いた場合には、裏板１１の機械的強度をさらに高めることができるとともに、裏板１１をより軽量化することができる。
【００９１】
ガラス繊維を構成するガラスの具体例としては、例えば、Ｅガラス、Ｃガラス、Ａガラス、Ｓガラス、Ｄガラス、ＮＥガラス、Ｔガラス、Ｈガラスが挙げられる。これらの中でも、ガラス繊維を構成するガラスとしては、特に、Ｅガラス、Ｔガラス、または、Ｓガラスが好ましい。このようなガラス繊維を用いることにより、第１の繊維および／または第２の繊維の高弾性化を達成することができ、その熱膨張係数も小さくすることができる。
【００９２】
また、炭素繊維の具体例としては、例えば、引張り強度３５００ＭＰａ以上の高強度の炭素繊維や、弾性率２３０ＧＰａ以上の高弾性率の炭素繊維が挙げられる。炭素繊維は、ポリアクリロニトリル（ＰＡＮ）系の炭素繊維、ピッチ系の炭素繊維のいずれであってもよいが、引張り強度が高いため、ポリアクリロニトリル系の炭素繊維が好ましい。
【００９３】
また、アラミド繊維を構成するアラミド樹脂は、メタ型構造およびパラ型構造のいずれの構造を有していてもよい。
【００９４】
第１の繊維および第２の繊維は、それぞれ、異なる材料で構成されていてもよいが、同一または同種の材料で構成されていることが好ましい。第１の繊維および第２の繊維の構成材料として同一または同種の材料を用いることにより、第１の繊維および第２の繊維は、それらの機械的強度が近くなり、裏板用組成物を調整する際の取扱性が向上する。
【００９５】
ここで、本明細書において、同種とは、例えば、第１の繊維がガラス繊維であるならば、第２の繊維がガラス繊維であることを意味し、Ｅガラス、Ｃガラス等のガラスの種類の違いについては、「同種」の範囲に含まれる。
【００９６】
また、本明細書において、同一とは、例えば、第１の繊維および第２の繊維が、共に、ガラス繊維であるだけでなく、第１の繊維がＥガラスで構成される繊維であるならば、第２の繊維もＥガラスで構成される繊維であることを意味する。
【００９７】
第１の繊維および第２の繊維が、同種の材料で構成されている場合には、第１の繊維および第２の繊維は、特に、アラミド繊維、炭素繊維、ガラス繊維が好ましく、ガラス繊維であることがより好ましい。第１の繊維および第２の繊維が、共にガラス繊維である場合には、それらの機械的強度が近くなり、裏板用組成物を調整する際の取扱性がより良好となる。さらに、第１の繊維および第２の繊維の双方共に、前述したガラス繊維の利点を享受することができるため、裏板用組成物の流動性がより向上し、その成形性が特に良好となる。
【００９８】
また、第１の繊維および第２の繊維が、共にガラス繊維であり、さらに、これらの双方を同一のガラスで構成する場合には、そのガラスの種類は、特に、Ｅガラスであることが好ましい。これにより、前述した効果がさらに顕著となる。
【００９９】
第１の繊維および第２の繊維のうち少なくとも一方は、予め表面処理が施されているものが好ましい。
【０１００】
予め表面処理を施すことにより、第１の繊維および／または第２の繊維は、その裏板用組成物中での分散性を高めることや、樹脂との密着力を高めること等ができる。
【０１０１】
このような表面処理の方法としては、例えば、カップリング剤処理、酸化処理、オゾン処理、プラズマ処理、コロナ処理、および、ブラスト処理が挙げられ、これらのうちの１種または２種以上を組み合わせて用いることができる。これらの中でも、表面処理の方法としては、特に、カップリング剤処理が好ましい。
【０１０２】
カップリング剤処理に用いるカップリング剤は、特に限定されず、樹脂の種類によって適宜選択することができる。
【０１０３】
カップリング剤としては、シラン系カップリング剤、チタン系カップリング剤、アルミニウム系カップリング剤が挙げられ、これらのうちの１種または２種以上を組み合わせて行うことができる。これらの中でも、カップリング剤としては、特に、シラン系カップリング剤を用いることが好ましい。これにより、第１の繊維および／または第２の繊維は、樹脂に対する密着性が特に向上する。
【０１０４】
シラン系カップリング剤としては、エポキシシランカップリング剤、カチオニックシランカップリング剤、アミノシランカップリング剤、ビニルシランカップリング剤、メルカプトシランカップリング剤、メタクリルシランカップリング剤、クロロシランカップリング剤、アクリルシランカップリング剤等が挙げられる。
【０１０５】
裏板１１中において、第１の繊維および第２の繊維は、それぞれ、例えば、裏板１１の厚さ方向に沿って配向してもよく、裏板１１の面方向に沿って配向してもよく、裏板１１の厚み方向または面方向に対して所定の角度で傾斜して配向してもよく、あるいは、配向しなくて（無配向であって）もよい。ただし、第１の繊維および第２の繊維のうちの少なくとも第１の繊維は、裏板１１の面方向に沿って配向していることが好ましい。これにより、裏板１１の面方向に沿った寸法変化をさらに低下させることができる。その結果、裏板１１の反り等の変形をより確実に抑制または防止することができる。なお、第１の繊維および第２の繊維が裏板１１の面方向に沿って配向するとは、第１の繊維または第２の繊維が、裏板１１の面に対して略平行に配向している状態のことを意味する。
【０１０６】
さらに、第１の繊維および／または第２の繊維が裏板１１の面方向に沿って配向している場合において、裏板１１を、図６に示すように、ディスク２００に対して配置した状態で、第１の繊維および／または第２の繊維は、面内においてランダムな方向を向いていてもよく、ディスク２００の径方向に沿って配向していてもよく、ディスク２００の進行方向Ａに沿って配向していてもよく、それらの中間の方向（所定の方向）に沿って配向していてもよい。ただし、第１の繊維および第２の繊維のうちの少なくとも第１の繊維が面内においてランダムな方向を向いている場合、裏板１１の曲げ強さや圧縮強さが面内の全方向において均一で高くなる。また、少なくとも第１の繊維が、ブレーキパッド１０が制動するディスク２００の進行方向Ａに沿って配向している場合、回転するディスク２００の進行方向Ａに対する、裏板１１の曲げ強さや圧縮強さを、選択的に増大することが可能である。その結果、裏板１１を備えるキャリパ装置１００の、ディスク２００に対する制動性能が、特に良好となる。なお、単に「第１の繊維または第２の繊維が、ディスク２００の進行方向Ａに沿って配向している」と表現する場合、第１の繊維または第２の繊維が、裏板１１の面方向に沿って配向し、かつ、ディスク２００の進行方向Ａに沿って略平行に配向していることを意味する。
【０１０７】
裏板用組成物中における、第１の繊維と第２の繊維との合計の含有率は、２０質量％〜８０質量％であることが好ましく、３０質量％〜７０質量％であることがさらに好ましい。第１の繊維と第２の繊維との合計の含有率が、前記下限値未満の場合、第１の繊維および第２の繊維の材料によっては、裏板１１の機械的強度が低下する場合がある。また、第１の繊維と第２の繊維との合計の含有率が、前記上限値を超えた場合、裏板１１の成形時において、裏板用組成物の流動性が低下する場合がある。
【０１０８】
第１の繊維の含有率をＸ１［質量％］、第２の繊維の含有率をＸ２［質量％］としたとき、Ｘ２／Ｘ１が０．０５〜１の関係を満足するのが好ましく、０．１〜０．２５の関係を満足するのがより好ましい。第１の繊維の含有率と第２の繊維の含有率との比率Ｘ２／Ｘ１が前記下限値未満の場合、第１の繊維の長さが比較的長いと、裏板１１の製造時において、第１の繊維に破損等生じやすくなる。また、第１の繊維の含有率と第２の繊維の含有率との比率Ｘ２／Ｘ１が前記上限値を超えた場合、第１の繊維の長さが比較的短いと、裏板１１の機械的強度が低下することがある。さらに、第１の繊維および第２の繊維が、同一または同種の材料で構成されている場合には、これらの傾向は顕著に現れる。
【０１０９】
第１の繊維の含有率は、３５質量％〜８０質量％であることが好ましく、４０質量％〜７５質量％であることがより好ましく、５０質量％〜６５質量％であることがさらに好ましい。第１の繊維の含有率が、前記下限値未満の場合、第１の繊維の長さや第２の繊維の含有率によっては、裏板１１の成形時の収縮率が若干大きくなってしまう場合がある。第１の繊維の含有率が、前記上限値を超えた場合、第１の繊維の長さや第２の繊維の含有率によっては、裏板１１の製造時において、第１の繊維に破損等が生じやすくなる場合がある。
【０１１０】
第２の繊維の含有率は、２質量％〜４０質量％であることが好ましく、３質量％〜３５質量％であることがより好ましく、５質量％〜３０質量％であることがさらに好ましい。第２の繊維の含有率が、前記下限値未満の場合、第２の繊維の長さや第１の繊維の含有量によっては、裏板１１の機械的特性が十分に得られない場合がある。また、第２の繊維の含有率が、前記上限値を超えた場合、裏板１１の成形時において、裏板用組成物の流動性が十分に得られない場合がある。
【０１１１】
なお、裏板用組成物は、前述したような複数本の第１の繊維（第２の繊維群）および複数本の第２の繊維（第２の繊維群）以外に、１本または複数本の第３の繊維等を含んでいてもよい。
【０１１２】
裏板用組成物は、さらに、必要に応じて、硬化剤、硬化助剤、充填剤、離型剤、顔料、増感剤、酸増殖剤、可塑剤、難燃剤、安定剤、酸化防止剤および帯電防止剤等を含んでいてもよい。
硬化剤は、樹脂の種類等に応じて、適宜選択して用いることができ、特定の化合物に限定されない。
【０１１３】
樹脂として、例えば、フェノール樹脂を用いる場合には、硬化剤としては、２官能以上のエポキシ系化合物、イソシアネート類、および、ヘキサメチレンテトラミン等から選択して用いることができる。
【０１１４】
また、樹脂として、エポキシ樹脂を用いる場合には、硬化剤としては、脂肪族ポリアミン、芳香族ポリアミン、ジシアミンジアミドなどのアミン化合物、脂環族酸無水物、芳香族酸無水物などの酸無水物、ノボラック型フェノール樹脂などのポリフェノール化合物、イミダゾール化合物等から選択して用いることができる。これらの中でも、取り扱い作業性、環境面からも、硬化剤として、ノボラック型フェノール樹脂を選択することが好ましい。
【０１１５】
特に、エポキシ樹脂として、フェノールノボラック型エポキシ樹脂、クレゾールノボラック型エポキシ樹脂、トリス（ヒドロキシフェニル）メタン型エポキシ樹脂を用いる場合には、硬化剤としては、ノボラック型フェノール樹脂を選択して用いることが好ましい。これにより、裏板用組成物の硬化物(裏板１１)の耐熱性を向上させることができる。
【０１１６】
硬化剤を用いる場合には、裏板用組成物における硬化剤の含有率は、使用する硬化剤や樹脂の種類等によって適宜設定されるが、例えば、０．１質量％〜３０質量％であることが好ましい。これにより、裏板１１を任意の形状に容易に形成することができる。
【０１１７】
また、硬化助剤としては、特に限定されないが、例えば、イミダゾール化合物、三級アミン化合物、有機リン化合物などを用いることができる。
【０１１８】
硬化助剤を用いる場合には、裏板用組成物における硬化助剤の含有率は、使用する硬化助剤や硬化剤の種類等によって適宜設定されるが、例えば、０．００１質量％〜１０質量％が好ましい。これにより、裏板用組成物をより容易に硬化させることができるため、裏板１１を容易に成形することができる。
【０１１９】
また、充填材としては、特に限定されないが、無機充填材、有機充填材等が挙げられる。無機充填材としては、例えば、炭酸カルシウム、クレー、シリカ、マイカ、タルク、ワラストナイト、ガラスビーズ、ミルドカーボン、グラファイト等が挙げられ、これらのうちの１種または２種以上を組み合わせて用いることができる。また、有機充填材としては、例えば、ポリビニールブチラール、アクリロニトリルブタジエンゴム、パルプ、木粉等が挙げられ、これらのうちの１種または２種以上を組み合わせて用いることができる。これらの中でも、特に、裏板１１（成形品）の靭性を向上させる効果がさらに高まるという観点からは、充填剤（有機充填剤）として、アクリロニトリルブタジエンゴムを用いることが好ましい。
【０１２０】
充填材を用いる場合には、裏板用組成物における充填材の含有率は、特に限定されないが、１質量％〜３０質量％であることが好ましい。これにより、裏板１１の機械的強度をさらに向上することができる。
【０１２１】
また、離型剤としては、特に限定されないが、ステアリン酸亜鉛、ステアリン酸カルシウム等を用いることができる。
【０１２２】
離型剤を用いる場合には、裏板用組成物中における離型剤の含有率は、特に限定されないが、０．０１質量％〜５．０質量％が好ましい。これにより、裏板１１を任意の形状に容易に形成することができる。
【０１２３】
裏板１１の平均厚みは、特に限定されないが、２ｍｍ〜１２ｍｍであることが好ましく、３ｍｍ〜１０ｍｍであることがより好ましく、４ｍｍ〜８ｍｍであることがさらに好ましい。裏板１１の厚みが前記下限未満であると、樹脂の種類によっては、制動時に生じる摩擦熱に対する裏板１１の耐熱性が若干低くなる場合がある。また、裏板１１の厚みが前記上限を超えると、ブレーキパッド１０を備えるキャリパ装置１００全体が若干大型化してしまう。
【０１２４】
裏板用組成物を調製する方法としては、例えば、特表２００２−５０９１９９号公報の記載に順じてロービングを使用する粉体含浸法を用いることができる。
【０１２５】
ロービングを使用する粉体含浸法とは、流動床技術を使用して、また、第１の繊維および第２の繊維を乾式法によりコーティングする方法である。具体的には、まず、第１の繊維および第２の繊維以外の裏板用組成物を構成する他の材料を、事前の混練なしで流動床から、直接、第１の繊維および第２の繊維に被着させる。次に短時間の加熱によって、他の材料を第１の繊維および第２の繊維に固着させる。そして、このようにコーティングされた第１の繊維および第２の繊維を、冷却装置および場合によって加熱装置からなる状態調節セクションに通す。その後、冷却され、かつ、コーティングされた第１の繊維および第２の繊維を引き取り、ストランドカッターにより、それぞれ所望の長さに切断する。その後、このようにして切断された第１の繊維と第２の繊維とを混合することにより、裏板用組成物を調製することができる。
【０１２６】
また、裏板１１を形成する方法としては、例えば、圧縮成形、トランスファー成形および射出成形が挙げられる。
【０１２７】
圧縮成形することにより、成形時の第１の繊維および／または第２の繊維の配向度を弱めることができる。このため、強度分布、成形収縮、線膨張等の物性について、裏板１１中の異方性を低減させることができる。また、圧縮形成は、肉厚な裏板１１を成形する場合に好適に用いることができる。また、圧縮形成によれば、裏板用組成物中に含まれる第１の繊維および第２の繊維のそれぞれの長さを、裏板１１中においても、より安定に維持することができる。また、成形時の裏板用組成物のロスを低減することもできる。
【０１２８】
一方、トランスファー成形することにより、成形される裏板１１の寸法をより高い精度で制御することができる。このため、トランスファー成形は、複雑な形状の裏板１１や高い寸法精度を必要とする裏板１１を製造するのに好適に用いることができる。また、トランスファー成形は、インサート成形にも好適に適用することができる。
【０１２９】
また、射出成形することにより、裏板１１の成形サイクルをさらに短縮することができる。このため、裏板１１の量産性を向上させることができる。また、射出成形は、複雑な形状の裏板１１にも好適に用いることができる。また、裏板用組成物を高速で射出した場合、裏板１１中での第１の繊維および第２の繊維の配向度を高めることができる等、裏板１１中での第１の繊維および第２の繊維の配向状態についての制御をさらに高い精度で行うことができる。
【０１３０】
また、ブレーキパッド１０の製造方法としては、特に限定されないが、例えば、裏板１１の形成後に、摩擦材１２と張り合わせる方法、裏板１１と摩擦材１２とを一体成形する方法等が挙げられる。
【０１３１】
［ブレーキパッドの第２実施形態］
次に、本発明のブレーキパッドの第２実施形態について説明する。
図８は、本発明のブレーキパッドの第２実施形態を示す断面図である。
【０１３２】
以下、第２実施形態について説明するが、前述した第１実施形態との相違点を中心に説明し、同様の事項についてはその説明を省略する。なお、前述した第１実施形態と同様の構成には、同一の符号を付してある。
【０１３３】
本実施形態に係るブレーキパッド１０は、図８に示すように、裏板１１の摩擦材１２側の面（上面）に、当該面の全体にわたって複数の溝１１２が形成されている。そして、複数の溝１１２の長手方向が、ディスク２００の回転方向に対して一方向に揃って所定角度傾斜している。このような点において、前述した第１実施形態と異なっている。
【０１３４】
なお、本明細書中において、溝とは、裏板１１の基準面Ｓから摩擦材１２とは反対側に凹んでいるものをいう。
【０１３５】
本実施形態において、溝１１２の底部を規定する面（底面）が平坦面で構成されている。また、溝１１２の側部を規定する２つの面（側面）が略平行となっている。言い換えると、溝１１２は、その横断面が略四角形状をなしている。なお、溝１１２の平面形状は、前述した第１実施形態で説明した凸１１１の平面形状と同様である。
【０１３６】
図中、Ｄで表される溝１１２の平均深さは、２ｍｍ〜６ｍｍであるのが好ましく、３ｍｍ〜５ｍｍであるのがより好ましい。これにより、より効果的にブレーキパッド１０の鳴きを防止することができる。また、ブレーキパッド１０の耐久性をさらに向上することができる。
【０１３７】
図中、Ｌで表される隣り合う溝１１２同士の間隔の平均値（平均間隔）は、５ｍｍ〜２０ｍｍであるのが好ましく、７ｍｍ〜１５ｍｍであるのがより好ましい。これにより、より効率よく裏板１１と摩擦材１２との間の接合強度を向上させることができる。また、より効果的にブレーキパッド１０の鳴きを防止することができる。また、急激な摩擦力の低下を抑制することができる。
【０１３８】
［ブレーキパッドの第３実施形態］
次に、本発明のブレーキパッドの第３実施形態について説明する。
図９は、本発明のブレーキパッドの第３実施形態を示す断面図である。
【０１３９】
以下、第３実施形態について説明するが、前述した第１実施形態との相違点を中心に説明し、同様の事項についてはその説明を省略する。なお、前述した第１実施形態と同様の構成には、同一の符号を付してある。
【０１４０】
本実施形態に係るブレーキパッド１０は、図９に示すように、凸条１１１の横断面が略台形状をなしている点で、前述した第１実施形態と異なっている。すなわち、凸条１１１の頂部を規定する面（天面）が平坦面で構成され、その２つの側面同士の間隔が、下側に向かって漸増するよう構成されている。言い換えると、凸条１１１は、その裏板１１と平行な方向（裏板１１の厚さ方向と直交する方向）の断面積、すなわち、その幅が摩擦材１２と反対方向に向かって漸増している。
【０１４１】
裏板１１がこのような形状の複数の凸条１１１を有することにより、裏板１１と摩擦材１２との間の接触面積を増大させることができるため、それらの間の接合強度が向上し、かつ、ブレーキパッド１０の振動をさらに効率よく吸収することができる。その結果、ブレーキパッド１０は、特に優れた防振効果を発揮する。また、ブレーキパッド１０とディスク２００との間の摩擦力の急激な低下を抑制することができる。
【０１４２】
［ブレーキパッドの第４実施形態］
次に、本発明のブレーキパッドの第４実施形態について説明する。
図１０は、本発明のブレーキパッドの第４実施形態を示す断面図である。
【０１４３】
以下、第４実施形態について説明するが、前述した第１実施形態との相違点を中心に説明し、同様の事項についてはその説明を省略する。なお、前述した第１実施形態と同様の構成には、同一の符号を付してある。
【０１４４】
本実施形態に係るブレーキパッド１０は、図１０に示すように、凸条１１１の横断面が略三角形状をなしている点で、前述した第１実施形態と異なっている。すなわち、凸条１１１は、その先端（頂部）が尖っている。そして、凸条１１１は、裏板１１と平行な方向（裏板１１の厚さ方向と直交する方向）の断面積、すなわち、その幅が摩擦材１２と反対方向に向かって漸増するよう構成されている。言い換えると、裏板１１は、その横断面が鋸状をなしている。
【０１４５】
裏板１１がこのような形状の複数の凸条１１１を有することにより、裏板１１と摩擦材１２との間の接触面積を増大させることができるため、それらの間の接合強度が向上し、かつ、ブレーキパッド１０の振動をさらに効率よく吸収することができる。その結果、ブレーキパッド１０は、特に優れた防振効果を発揮する。また、ブレーキパッド１０とディスク２００との間の摩擦力の急激な低下を抑制することができる。
【０１４６】
［ブレーキパッドの第５実施形態］
次に、本発明のブレーキパッドの第５実施形態について説明する。
図１１は、本発明のブレーキパッドの第５実施形態を示す断面図である。
【０１４７】
以下、第５実施形態について説明するが、前述した第１実施形態との相違点を中心に説明し、同様の事項についてはその説明を省略する。なお、前述した第１実施形態と同様の構成には、同一の符号を付してある。
【０１４８】
本実施形態に係るブレーキパッド１０は、図１１に示すように、凸条１１１の横断面が円弧形状（半円形状）をなしている点で、前述した第１実施形態と異なっている。
【０１４９】
裏板１１がこのような形状の複数の凸条１１１を有することにより、ブレーキパッド１０の振動をさらに効率よく吸収することができる。その結果、ブレーキパッド１０は、特に優れた防振効果を発揮する。また、ブレーキパッド１０とディスク２００との間の摩擦力の急激な低下を抑制することができる。
【０１５０】
［ブレーキパッドの第６実施形態］
次に、本発明のブレーキパッドの第６実施形態について説明する。
図１２は、本発明のブレーキパッドの第６実施形態を示す断面図である。
【０１５１】
以下、第６実施形態について説明するが、前述した第１実施形態との相違点を中心に説明し、同様の事項についてはその説明を省略する。なお、前述した第１実施形態と同様の構成には、同一の符号を付してある。
【０１５２】
本実施形態に係るブレーキパッド１０は、図１２に示すように、凸条１１１の横断面が略三角形状をなしている。そして、図１２に示すように、凸条１１１は、図中右側に位置し、裏板１１の厚さ方向に略平行な垂直な面と、図中左側に位置し、当該厚さ方向（垂直方向）に対して所定角度傾斜した傾斜面とを備える。このような点で、前述した第１実施形態と異なっている。
【０１５３】
本実施形態において、凸条１１１の傾斜面は、ディスクの中心側に向いている。これにより、回転するディスク２００に摩擦材１２の外周側が偏当たりした際に、摩擦材１２にかかる負荷を軽減することができる。
【０１５４】
［ブレーキパッドの第７実施形態］
次に、本発明のブレーキパッドの第７実施形態について説明する。
図１３は、本発明のブレーキパッドの第７実施形態を示す断面図である。
【０１５５】
以下、第７実施形態について説明するが、前述した第１実施形態との相違点を中心に説明し、同様の事項についてはその説明を省略する。なお、前述した第１実施形態と同様の構成には、同一の符号を付してある。
【０１５６】
本実施形態に係るブレーキパッド１０は、図１３に示すように、凸条１１１と溝１１２とが交互に並んだ形状となっている点で、前述した第１実施形態と異なっている。
【０１５７】
本実施形態では、前述した第１実施形態と同様に、凸条１１１の頂部を規定する面（天面）が平坦面で構成されている。また、凸条１１１の側部を規定する２つの面（側面）が略平行となっている。言い換えると、凸条１１１は、その横断面が略四角状をなしている。
【０１５８】
また、本実施形態では、前述した第２実施形態と同様に、溝１１２の底部を規定する面（底面）が平坦面で構成されている。また、溝１１２の側部を規定する２つの面（側面）が略平行となっている。言い換えると、溝１１２は、その横断面が略四角状をなしている。
【０１５９】
裏板１１がこのような形状の複数の凸条１１１および溝１１２を有すること、すなわち、摩擦材１２との界面をこのような形状（階段状）とすることにより、裏板１１と摩擦材１２との間の接触面積を増大させることができるため、それらの間の接合強度をより効果的に向上させることができる。また、ブレーキパッド１０の振動をさらに効果的に吸収することができる。その結果、ブレーキパッド１０は、特に優れた防振効果を発揮する。また、ブレーキパッド１０とディスク２００との間の摩擦力の急激な低下を抑制することができる。
【０１６０】
［ブレーキパッドの第８実施形態］
次に、本発明のブレーキパッドの第８実施形態について説明する。
図１４は、本発明のブレーキパッドの第８実施形態を示す断面図である。
【０１６１】
以下、第７実施形態について説明するが、前述した第１実施形態との相違点を中心に説明し、同様の事項についてはその説明を省略する。なお、前述した第１実施形態と同様の構成には、同一の符号を付してある。
【０１６２】
本実施形態に係るブレーキパッド１０は、図１４に示すように、裏板１１の摩擦材１２側の面（上面）に、凸条１１１と溝１１２とが交互に並んで形成されている。そして、凸条１１１および溝１１２は、その横断面が円弧形状（半円形状）をなしている。このような点において、前述した第１実施形態と異なっている。
【０１６３】
裏板１１がこのような形状の複数の凸条１１１および複数の溝１１２を有すること、すなわち、摩擦材１２との界面をこのような形状（円弧状）とすることにより、裏板１１と摩擦材１２との間の接触面積を増大させることができるため、それらの間の接合強度をより効果的に向上させることができる。また、ブレーキパッド１０の振動をさらに効果的に吸収することができる。その結果、ブレーキパッド１０は、特に優れた防振効果を発揮する。また、ブレーキパッド１０とディスク２００との間の摩擦力の急激な低下を抑制することができる。
【０１６４】
以上、本発明の好適な実施形態について説明したが、本発明は、これらに限定されるものではない。
【０１６５】
また、前述した実施形態では、ブレーキパッドは、単層の裏板と単層の摩擦材とで構成されているが、ブレーキパッドの構成は、これに限定されない。例えば、裏板が多層積層体で構成されていてもよいし、摩擦材が多層積層体で構成されてもよいし、裏板および摩擦材の双方が多層積層体で構成されていてもよい。
【産業上の利用可能性】
【０１６６】
本発明によれば、ディスク側に設けられた摩擦材と、摩擦材のディスクと反対側に接合された裏板とを備え、裏板は、摩擦材側の面に、複数の凸条および／または複数の溝を有している。当該複数の凸条および／または複数の溝は、裏板の摩擦材側の面の全体にわたって形成され、それらの長手方向がディスクの回転方向に対して一方向に揃って所定角度傾斜していることを特徴とする。また、摩擦材は、各凸条および／または各溝を規定する表面と、裏板の摩擦材側の面とに密着するように、裏板に接合されていることにより、摩擦材と裏板との接合強度が高く、耐久性に優れたブレーキパッド、および当該ブレーキパッドを備えたキャリパ装置を提供することができる。したがって、本発明は、産業上の利用可能性を有する。
【図１】
2014119572.tif 000004
【図２】
2014119572.tif 000005
【図３】
2014119572.tif 000006
【図４】
2014119572.tif 000007
【図５】
2014119572.tif 000008
【図６】
2014119572.tif 000009
【図７】
2014119572.tif 000010
【図８】
2014119572.tif 000011
【図９】
2014119572.tif 000012
【図１０】
2014119572.tif 000013
【図１１】
2014119572.tif 000014
【図１２】
2014119572.tif 000015
【図１３】
2014119572.tif 000016
【図１４】
2014119572.tif 000017
【国際調査報告】
2014119572.tif 000018
2014119572.tif 000019
2014119572.tif 000020
2014119572.tif 000021